(57)【要約】【課題】外導体の圧着時における不正な変形を防止し、シールド端子の向きを容易に識別できるようにする。【解決手段】シールド端子Ａは、内導体１０と、内導体１０を収容し、外面形状が芯線６１の軸線に関して非対称である誘電体１３と、半割状をなす第１分割シェル３７と第２分割シェル４４を筒状に合体して構成された外導体３６と、第１分割シェル３７の後端部に形成された第１圧着部４３と、誘電体１３の外面の非対称形状を構成し、第１圧着部４３よりも前方において外導体３６の外面に露出した多機能部２３とを備え、第１圧着部４３に圧着方向の押圧力Ｆ１が作用したときに、第１分割シェル３７が多機能部２３に対し押圧力Ｆ１とは反対向きに係止する。【選択図】図４
2020053279.tif 000002
【特許請求の範囲】
【請求項１】
シールド電線を構成する複数本の芯線の前端部に個別に接続された複数の内導体と、
前記複数の内導体を収容し、外面形状が前記芯線の軸線に関して非対称である誘電体と、
半割状をなす第１分割シェルと第２分割シェルを筒状に合体して構成され、前記内導体及び前記誘電体を包囲する外導体と、
前記第１分割シェルの後端部に形成され、前記シールド電線を構成するシールド部材の外周に圧着される第１圧着部と、
前記誘電体の外面の非対称形状を構成し、前記第１圧着部よりも前方において前記外導体の外面に露出した多機能部とを備え、
前記第１圧着部に圧着方向の押圧力が作用したときに、前記第１分割シェルが前記多機能部に対し前記押圧力とは反対向きに係止することを特徴とするシールド端子。
【請求項２】
前記多機能部が前記誘電体の前端部に配されていることを特徴とする請求項１記載のシールド端子。
【請求項３】
前記誘電体が、
前記内導体を収容可能な収容室を有する収容部材と、
前記収容室を覆うように前記収容部材に組み付けられるカバーとを備えて構成され、
前記収容部材の外面と前記外導体の内面との間には、前記カバーを目視可能な開口部が形成されていることを特徴とする請求項１又は請求項２記載のシールド端子。
【請求項４】
前記第２分割シェルに形成され、前記シールド部材の外周に圧着される第２圧着部と、
前記カバーに形成され、前記第２圧着部よりも前方に配された変位規制部とを備え、
前記第２圧着部に圧着方向の押圧力が作用したときに、前記第２分割シェルが前記変位規制部に対し前記押圧力とは反対向きに係止することを特徴とする請求項３記載のシールド端子。
【発明の詳細な説明】
【技術分野】
【０００１】
本発明は、シールド端子に関するものである。
【背景技術】
【０００２】
特許文献１には、シールド電線を構成する複数本の電線の前端部に個別に接続された複数の内導体と、複数の内導体を収容する誘電体と、内導体及び誘電体を包囲する筒状の外導体とを備えたシールド端子が開示されている。外導体は、誘電体の前端側領域を包囲する筒状部材と、筒状部材の後方に配された半割状をなす一対の分割シェルとを備えて構成されている。各分割シェルの後端部に形成された一対の圧着部は、シールド電線を構成するシールド層の外周に圧着されている。
【０００３】
圧着工程では、一対の圧着部が互いに接近する方向へ押圧される。そのため、一対の分割シェルが、その前端部を互いに離間させるような形態で姿勢を傾けようとするのであるが、分割シェルの前端部は筒状部材に係止されているので、一対の分割シェルが姿勢を傾ける虞はない。
【先行技術文献】
【特許文献】
【０００４】
【特許文献１】特開２０１８−１２５２４３号公報
【発明の概要】
【発明が解決しようとする課題】
【０００５】
シールド端子をハウジングに挿入する際には、シールド端子の前端部を目視して上下左右の向きを確認し、シールド端子が不正な向きでハウジングに挿入されることを回避する必要がある。ところが、上記シールド端子の前端部は、上下対称且つ左右対称な角筒状をなしているため、シールド端子の前端部を目視して上下左右の向きを確認することが困難である。
【０００６】
この対策としては、外導体を非対称な形状をなす一対の分割シェルだけで構成することが考えられる。しかし、非対称な分割シェルを合体させても、シールド端子の前端部は、誘電体の外形に合わせて角筒状に成形されているので、目視によって向きを識別することは容易ではない。
【０００７】
本発明は上記のような事情に基づいて完成されたものであって、外導体の圧着時における姿勢の傾きを防止し、シールド端子の向きを容易に識別できるようにすることを目的とする。
【課題を解決するための手段】
【０００８】
本発明は、
シールド電線を構成する複数本の芯線の前端部に個別に接続された複数の内導体と、
前記複数の内導体を収容し、外面形状が前記芯線の軸線に関して非対称である誘電体と、
半割状をなす第１分割シェルと第２分割シェルを筒状に合体して構成され、前記内導体及び前記誘電体を包囲する外導体と、
前記第１分割シェルの後端部に形成され、前記シールド電線を構成するシールド部材の外周に圧着される第１圧着部と、
前記誘電体の外面の非対称形状を構成し、前記第１圧着部よりも前方において前記外導体の外面に露出した多機能部とを備え、
前記第１圧着部に圧着方向の押圧力が作用したときに、前記第１分割シェルが前記多機能部に対し前記押圧力とは反対向きに係止することを特徴とする。
【発明の効果】
【０００９】
誘電体の非対称部位を構成する多機能部は、外導体の外面に露出しているので、多機能部の位置を目視することで、シールド端子の向きを確認することができる。第１圧着部に圧着方向の押圧力が作用したときには、第１分割シェルが多機能部に対し押圧力とは反対向きに係止するので、圧着時における第１分割シェルの姿勢の傾きを防止できる。
【図面の簡単な説明】
【００１０】
【図１】実施例１のシールド端子の斜視図
【図２】シールド端子の正面図
【図３】シールド端子の平面図
【図４】シールド端子の側面図
【図５】シールド端子の分解斜視図
【図６】誘電体に内導体を収容した状態をあらわす斜視図
【図７】誘電体に第２分割シェルを組み付けた状態をあらわす斜視図
【図８】収容部材の平面図
【図９】収容部材の側面図
【図１０】第１分割シェルの上下反転させた状態の斜視図
【発明を実施するための形態】
【００１１】
本発明は、前記多機能部が前記誘電体の前端部に配されていてもよい。この構成によれば、多機能部が、シールド端子の前端部において外導体の外面に露出するので、目視確認し易い。また、多機能部が誘電体の前端部に配されていることにより、第１圧着部と多機能部との前後方向の距離が長く確保されるので、第１分割シェルの姿勢の傾きを防止する機能に優れている。
【００１２】
本発明は、前記誘電体が、前記内導体を収容可能な収容室を有する収容部材と、前記収容室を覆うように前記収容部材に組み付けられるカバーとを備えて構成され、前記収容部材の外面と前記外導体の内面との間には、前記カバーを目視可能な開口部が形成されていてもよい。この構成によれば、カバーが外導体で覆われていても、開口部を通してカバーの向きや位置を目視することにより、収容部材に対するカバーの組付け状態を確認することができる。
【００１３】
本発明は、前記第２分割シェルに形成され、前記シールド部材の外周に圧着される第２圧着部と、前記カバーに形成され、前記第２圧着部よりも前方に配された変位規制部とを備え、前記第２圧着部に圧着方向の押圧力が作用したときに、前記第２分割シェルが前記変位規制部に対し前記押圧力とは反対向きに係止してもよい。この構成によれば、第２圧着部に圧着方向の押圧力が作用したときには、第２分割シェルが変位規制部に対し押圧力とは反対向きに係止するので、圧着時における第２分割シェルの姿勢の傾きを防止できる。
【００１４】
＜実施例１＞
以下、本発明を具体化した実施例１を図１〜図１０を参照して説明する。尚、以下の説明において、前後の方向については、図１，５〜７，１０における斜め左方向を前方と定義する。上下の方向については、図１，２，４〜７，１０にあらわれる向きを、そのまま上方、下方と定義する。
【００１５】
本実施例１のシールド端子Ａは、シールド電線６０の前端部に接続される。図６，７に示すように、シールド電線６０は、被覆電線からなる４本の芯線６１と、４本の芯線６１を一括して包囲する円筒形の外皮６２と、外皮６２内に挿通され且つ４本の芯線６１を一括して包囲する筒状のシールド部材６３とから構成されている。シールド部材６３としては編組線等が用いられる。
【００１６】
図５に示すように、シールド端子Ａは、４つの内導体１０と１つの誘電体１３と１つの外導体３６を組み付けて構成されている。内導体１０は、全体として前後方向に細長い形状である。内導体１０は、相手側内導体のタブ（図示省略）を挿入させて接触させるための角筒部１１と、角筒部１１の後端から後方へ延出したバレル部１２とから構成された単一部品である。バレル部１２には、芯線６１の前端部が、圧着により導通可能に固着されている。圧着された芯線６１は、内導体１０から後方へ延出している。本実施例１では、この芯線６１の延出方向を芯線６１の軸線方向と定義する。
【００１７】
図６，７に示すように、誘電体１３は、絶縁材料からなる収容部材１４と、絶縁材料からなる第１カバー２６（請求項に記載のカバー）と、絶縁材料からなる第２カバー２９（請求項に記載のカバー）とを組み付けて構成されている。第１カバー２６と第２カバー２９は同一形状であるが、第１カバー２６と第２カバー２９の色は異なっている。
【００１８】
図５，８，９に示すように、収容部材１４は、左右対称であり、且つ上下非対称な形状である。芯線６１の軸線と直角な前壁部１５と、前壁部１５の後面から後方へ略水平な板状に突出したベース部１６と、上下一対の隔壁部１７と、左右一対の側壁部１８とから構成された単一部品である。図１，２，６に示すように、前壁部１５には、上下左右に整列した４つのタブ挿入孔１９が、貫通形態で形成されている。図５〜７，９に示すように、側壁部１８の外面における上端部には第１ロック突起２０が形成され、側壁部１８の外面における下端部には第２ロック突起２１が形成されている。
【００１９】
上下一対の隔壁部１７は、前後方向（芯線６１の軸線と平行）に延びていて、ベース部１６の上面及び下面における左右方向中央部から上方と下方へ突出している。左右一対の側壁部１８は、前壁部１５の左右両側縁から後方へ延出し、且つベース部１６の左右両側縁から上下両方向へ延出した形態である。収容部材１４には、ベース部１６と隔壁部１７と側壁部１８により上下左右に区画された４つの収容室２２が形成されている。上段側の２つの収容室２２は、収容部材１４の上方及び後方へ開放されており、下段側の２つの収容室２２は、収容部材１４の下方及び後方へ開放されている。各収容室２２には、夫々、内導体１０の全体と、その内導体１０に接続された芯線６１の前端部とが収容されている。
【００２０】
図１，３〜９に示すように、収容部材１４の前壁部１５には、左右一対の多機能部２３が形成されている。一対の多機能部２３は、前壁部１５の後面上端部における左右両端部から、後方へ突出した形態であり、収容部材１４（誘電体１３）の上下非対称な部位を構成する。多機能部２３の平面視形状と背面視形状は、いずれも、略方形である。
【００２１】
図１，４〜７，９に示すように、前壁部１５には、左右一対の突起部２４が形成されている。一対の突起部２４は、前壁部１５の後面下端部における左右両端部から、後方へ突出した形態である。一対の突起部２４は、一対の多機能部２３とともに、収容部材１４（誘電体１３）の上下非対称な部位を構成する。前壁部１５の左右両外側面のうち多機能部２３と突起部２４との間の領域には、多機能部２３及び突起部２４よりも凹ませた形態の凹部２５が形成されている。
【００２２】
第１カバー２６は、絶縁材料からなり、左右対称な形状である。図５〜７に示すように、第１カバー２６は、略水平な第１覆い部２７と、第１覆い部２７の左右両側縁から下方へ延出した左右一対の第１弾性ロック片２８とを備えた単一部品である。第１カバー２６は、収容部材１４の上面に対し上から覆うように組み付けられている。組み付けられた第１カバー２６は、一対の第１弾性ロック片２８を第１ロック突起２０に係止させることで、収容部材１４に対して組付け状態にロックされる。第１弾性ロック片２８は、多機能部２３の後方に隣接するように配置される。
【００２３】
第１カバー２６を収容部材１４に組み付けた状態では、第１覆い部２７が、上段側の２つの収容室２２を覆い隠す。第１覆い部２７の前端部は、左右一対の多機能部２３の間に嵌合される。第１覆い部２７の下面には、左右方向のリブ状に突出した第１抜止め部（図示省略）が形成されている。第１カバー２６を収容部材１４に組み付けた状態では、上段側の収容室２２に収容されている２つの内導体１０の角筒部１１の後端部に対して第１抜止め部が後方から係止する。この係止作用により、上段側の２つの内導体１０が第１カバー２６によって抜止め状態に保持される。
【００２４】
第２カバー２９は、絶縁材料からなり、左右対称であり、且つ第１カバー２６に対して上下対称な形状である。図５に示すように、第２カバー２９は、略水平な第２覆い部３０と、第２覆い部３０の左右両側縁から上方へ延出した左右一対の第２弾性ロック片３１と、第２覆い部３０の左右両側縁から上方へ突出した左右一対の支持壁部３２と、左右両支持壁部３２の外面に形成された左右一対の規制突起３３（請求項に記載の変位規制部）とを備えた単一部品である。第２カバー２９は、収容部材１４の上面に対し上から覆うように組み付けられている。組み付けられた第２カバー２９は、一対の第２弾性ロック片３１を第２ロック突起２１に係止させることで、収容部材１４に対して組付け状態にロックされる。
【００２５】
第２弾性ロック片３１は、突起部２４の前方に間隔を空けて隣り合うように配置される。第２弾性ロック片３１の後縁部は、上下方向（芯線６１の軸線と直角であり、且つ後述する第１圧着部４３及び第２圧着部５０の圧着方向と略平行な方向）に延びた形態であり、規制縁部３４（請求項に記載の変位規制部）として機能する。
【００２６】
第２カバー２９を収容部材１４に組み付けた状態では、第２覆い部３０が、下段側の２つの収容室２２を覆い隠す。第２覆い部３０の前端部は、左右一対の突起部２４の間に嵌合される。図５に示すように、第２覆い部３０の上面には、左右方向のリブ状に突出した第２抜止め部３５が形成されている。第２カバー２９を収容部材１４に組み付けた状態では、下段側の収容室２２に収容されている２つの内導体１０の角筒部１１の後端部に対して第２抜止め部３５が後方から係止する。この係止作用により、下段側の２つの内導体１０が第２カバー２９によって抜止め状態に保持される。
【００２７】
図１，２，４，５に示すように、外導体３６は、導電性材料からなる第１分割シェル３７と、導電性材料からなる第２分割シェル４４とを上下に合体させることで、全体として角筒状に成形されたものである。第１分割シェル３７と第２分割シェル４４の合体方向は、芯線６１の軸線と直交する方向である。
【００２８】
図５に示すように、第１分割シェル３７は、下面側へ開放された空間を有する半割形状をなす。図１，４，５，１０に示すように、第１分割シェル３７の前端側領域は第１シェル部３８となっており、第１分割シェル３７の後端部は、第１シェル部３８の後端から後方へ延出した略円弧形の第１圧着部４３となっている。第１シェル部３８は、略水平な第１基板部３９と、第１基板部３９の左右両側縁から下方へ略直角に延出した左右一対の第１側板部４０とから構成されている。第１圧着部４３は第１基板部３９の後端縁から後方へ延出している。
【００２９】
図１，３〜５，１０に示すように、第１シェル部３８の前端部には、左右対称な一対の切欠部４１が形成されている。一対の切欠部４１は、第１基板部３９の前端縁における左右両端部と、左右両第１側板部４０の前端縁における上端部とを連通状態で切り欠いた形態である。切欠部４１の平面視形状は、多機能部２３の背面視形状と同じく略方形であり、切欠部４１の側面視形状も、多機能部２３の側面視形状と同じく略方形である。切欠部４１における下側の縁部は、上方に面する係止段部４２として機能する。
【００３０】
図４，５，７に示すように、第２分割シェル４４は、上面側へ開放された空間を有する半割形状をなす。第２分割シェル４４の前端側領域は第２シェル部４５となっており、第２分割シェル４４の後端部は、第２シェル部４５の後端から後方へ細長く延出した第２圧着部５０となっている。第２シェル部４５は、略水平な第２基板部４６と、第２基板部４６の左右両側縁から上方へ略直角に延出した左右一対の第２側板部４７とから構成されている。第２圧着部５０は第２基板部４６の後端縁から後方へ延出している。
【００３１】
一対の第２側板部４７の前端は、第２基板部４６の前端よりも後方に位置する。一対の第２側板部４７の前端縁部は、上下方向（第２カバー２９の規制縁部３４と平行な方向）に延びた形態であり、係止縁部４８として機能する。一対の第２側板部４７には、夫々、係止孔４９が形成されている。
【００３２】
次に、シールド端子Ａの組付け手順を説明する。４本の芯線６１の先端部に、夫々、内導体１０を個別に固着し、４つの内導体１０の全体と４本の芯線６１の前端部を、夫々、収容室２２に収容する。次に、図６に示すように、収容部材１４に第１カバー２６と第２カバー２９を組み付ける。この組付けにより、誘電体１３が構成されるとともに、誘電体１３内に４つの内導体１０が収容された状態に保持される。誘電体１３と４つの内導体１０は、端子モジュール５１を構成する。
【００３３】
この後、図７に示すように、端子モジュール５１に第２分割シェル４４を組み付ける。組み付けに際しては、端子モジュール５１の上から第２分割シェル４４を接近させ、一対の第２側板部４７を、弾性的に拡開させながら一対の支持壁部３２の外面に重ね、係止孔４９を規制突起３３に嵌合して係止状態とする。この係止作用により、第２分割シェル４４が誘電体１３（第２カバー２９）に対して組付け状態に保持される。第２基板部４６の上面は、第２覆い部３０の下面に重ね合わせられる。係止縁部４８は、規制縁部３４に対し後方から線接触状態で当接、又は後方から僅かなクリアランスを空けて対向した状態で隣接する。
【００３４】
第２分割シェル４４を組み付けた後、図１，３，４に示すように、第１分割シェル３７を誘電体１３に組み付ける。組付けに際しては、誘電体１３に対し上から第１分割シェル３７を接近させ、第１基板部３９を第１覆い部２７の上面に重ね合わせるとともに、第１側板部４０の前端部を多機能部２３の下に潜り込ませ、第１基板部３９の前端部を左右両多機能部２３の間に嵌入する。これにより、一対の多機能部２３が、一対の切欠部４１内に嵌合し、第１分割シェル３７（外導体３６）の外面（上面と側面）に露出した状態となる。一対の第１側板部４０は、一対の第２側板部４７の外面に重ね合わされる。
【００３５】
第１圧着部４３は、前後方向（芯線６１の軸線方向）において第２圧着部５０と対応するように位置する。第１分割シェル３７と第２分割シェル４４を誘電体１３に組み付けた後、第１圧着部４３と第２圧着部５０を、シールド電線６０のシールド部材６３の外周に圧着する。圧着工程では、図４に示すように、第１圧着部４３に対し下向きの押圧力Ｆ１が付与されると同時に、第２圧着部５０に対し上向きの押圧力Ｆ２が付与される。
【００３６】
圧着時の押圧力Ｆ１，Ｆ２の向きは、芯線６１の軸線と直交する向きである。詳細には、第１圧着部４３に対する押圧力Ｆ１の向きは、誘電体１３に対する第１分割シェル３７の組付け方向と略平行な向きである。第１圧着部４３は第１分割シェル３７の後端部に配されているため、第１圧着部４３に下向きの押圧力Ｆ１が付与されると、第１分割シェル３７は、その前端部を上方（第１圧着部４３に対する押圧力Ｆ１の付与方向とは上下反対であり、誘電体１３から第１分割シェル３７が遠ざかる方向）へ変位させるように姿勢を傾けようとする。しかし、第１分割シェル３７の前端部に形成されている係止段部４２が、誘電体１３の多機能部２３に対し下から当接するので、第１分割シェル３７の姿勢の傾きが規制される。
【００３７】
また、第２圧着部５０に対する押圧力Ｆ２の向きは、誘電体１３に対する第２分割シェル４４の組付け方向と略平行な向きである。第２圧着部５０は第２分割シェル４４の後端部に配されているため、第２圧着部５０に上向きの押圧力Ｆ２が付与されると、第２分割シェル４４は、その前端部を下方（第２圧着部５０に対する押圧力Ｆ２の付与方向とは上下反対であり、誘電体１３から第２分割シェル４４が遠ざかる方向）へ変位させるように姿勢を傾けようとする。
【００３８】
しかし、第２分割シェル４４のうち第２圧着部５０より前方に形成されている係止孔４９が規制突起３３に嵌合するので、第２分割シェル４４の姿勢の傾きが規制される。また、第２分割シェル４４が姿勢を傾け始めると、第２分割シェル４４の係止縁部４８が、側面視において前傾するように変位して誘電体１３の規制縁部３４と干渉する。したがって、この干渉によっても、第２分割シェル４４の姿勢の傾きが規制される。
【００３９】
端子モジュール５１に第１分割シェル３７と第２分割シェル４４を組付け、第１圧着部４３と第２圧着部５０をシールド部材６３に圧着すると、第１分割シェル３７と第２分割シェル４４が合体して外導体３６が構成されるとともに、シールド端子Ａの組付けが完了する。組み付けられたシールド端子Ａの前端部においては、誘電体１３の多機能部２３が、外導体３６の上面と側面上端部に露出している。外導体３６の下面と側面下端部には突起部２４が露出している。
【００４０】
突起部２４の露出面積は多機能部２３の露出面積に比べて小さいので、目視し難い。これに対し、露出面積の大きい多機能部２３は、外導体３６の外面において目視し易くなっている。これにより、多機能部２３を指標とすることにより、シールド端子Ａの上下左右の向きを目視により容易に確認することができる。したがって、シールド端子Ａをハウジング（図示省略）に挿入する際に、上下左右の向きが不正な状態で挿入されることを回避できる。
【００４１】
また、図１，２に示すように、シールド端子Ａの前端面（正面）においては、第１分割シェル３７（外導体３６）の第１側板部４０と、誘電体１３（収容部材１４）の側面の凹部２５との間に、開口部５２が形成される。外導体３６で包囲されている第１弾性ロック片２８の下端部と第２弾性ロック片３１の上端部は、シールド端子Ａの前方から開口部５２を通して目視することができる。第１カバー２６と第２カバー２９は色が異なっているので、多機能部２３の位置によってシールド端子Ａの上下の向きを確認した上で、開口部５２から外導体３６の内部を覗き込むことにより、第１カバー２６と第２カバー２９が収容部材１４に対して適正に組み付けられているか否かを確認できる。
【００４２】
本実施例１のシールド端子Ａは、複数の内導体１０と誘電体１３と外導体３６とを備えている。複数の内導体１０は、シールド電線６０を構成する複数本の芯線６１の前端部に個別に接続されている。誘電体１３は、複数の内導体１０を収容し、外面形状が芯線６１の前後方向の軸線に関して非対称である。外導体３６は、半割状をなす第１分割シェル３７と半割状をなす第２分割シェル４４を筒状に合体して構成されていて、内導体１０及び誘電体１３を包囲する。
【００４３】
第１分割シェル３７の後端部には、シールド電線６０を構成するシールド部材６３の外周に圧着される第１圧着部４３が形成されている。誘電体１３の外面の非対称形状を構成する部位（誘電体１３の前端部）には、第１圧着部４３よりも前方において外導体３６の外面に露出した多機能部２３が形成されている。第１圧着部４３に圧着方向（下向き）の押圧力Ｆ１が作用したときに、第１分割シェル３７の係止段部４２が多機能部２３に対し押圧力Ｆ１とは反対向き（上向き）に係止する。
【００４４】
誘電体１３の非対称部位を構成する多機能部２３は、外導体３６の外面に露出しているので、多機能部２３の位置を目視することで、シールド端子Ａの上下の向きを確認することができる。第１圧着部４３に圧着方向の押圧力Ｆ１が作用したときには、第１分割シェル３７が多機能部２３に対し押圧力Ｆ１とは反対向きに係止するので、圧着時における第１分割シェル３７の姿勢の傾きや不正な変形を防止できる。
【００４５】
また、シールド端子Ａをハウジング（図示省略）に挿入する際には、シールド端子Ａの前端部を目視してシールド端子Ａの向きを確認する。多機能部２３は誘電体１３の前端部において外導体３６の外面に露出するので、目視確認し易い。また、多機能部２３が誘電体１３の前端部に配されていることにより、第１圧着部４３と多機能部２３との前後方向の距離が長く確保されるので、第１分割シェル３７の姿勢の傾きを防止する機能に優れている。
【００４６】
また、誘電体１３は、内導体１０を収容可能な収容室２２を有する収容部材１４と、収容室２２を覆うように収容部材１４に組み付けられる第１カバー２６とを備えて構成され、多機能部２３は、収容部材１４の外面（前壁部１５の外側面）から局部的に側方へ突出した形態である。この多機能部２３の形態により、収容部材１４の外面（前壁部１５の外側面）と外導体３６（第１側板部４０）の内面との間には、第１カバー２６と第２カバー２９を目視可能な開口部５２が形成されている。この構成によれば、第１カバー２６と第２カバー２９が外導体３６で覆われていても、開口部５２を通して第１カバー２６と第２カバー２９の向きや位置を目視することができる。これにより、収容部材１４に対する第１カバー２６と第２カバー２９の組付け状態を確認することができる。
【００４７】
また、第２分割シェル４４には、シールド部材６３の外周に圧着される第２圧着部５０が形成され、第２カバー２９には、第２圧着部５０よりも前方に配された規制突起３３と規制縁部３４が形成されている。第２圧着部５０に圧着方向の押圧力Ｆ２が作用したときには、第２分割シェル４４が規制突起３３と規制縁部３４に対し押圧力Ｆ２とは反対向きに係止するので、圧着時における第２分割シェル４４の姿勢の傾きを防止できる。
【００４８】
＜他の実施例＞
本発明は上記記述及び図面によって説明した実施例に限定されるものではなく、例えば次のような実施例も本発明の技術的範囲に含まれる。
（１）上記実施例１では、多機能部が誘電体の前端部に形成されているが、多機能部は、誘電体の前端部よりも後方の位置（例えば、誘電体の前後方向における中央部）に形成されていてもよい。
（２）上記実施例１では、収容部材と外導体との間に、カバーを目視可能な開口部を形成したが、このような開口部が形成されていなくてもよい。
（３）上記実施例１では、カバーを目視可能な開口部がシールド端子の正面（前面）に開口しているが、カバーを目視可能な開口部は、シールド端子の側面（上下左右のいずれかの面）に開口していてもよい。
（４）上記実施例１では、誘電体に４つの内導体が収容されるが、１つの誘電体に収容される内導体の数は、３つ以下でもよく、５つ以上でもよい。
（５）上記実施例１では、誘電体が複数の部品（収容部材とカバー）を合体して構成されているが、誘電体は、１つの部品のみで構成されていてもよい。
（６）上記実施例１では、一対のカバーが同一形状であるが、一対のカバーは互いに異なる形状であってもよい。
（７）上記実施例１では、誘電体が一対のカバーを備えているが、誘電体を構成するカバーは１つだけでもよく、３つ以上でもよい。
【符号の説明】
【００４９】
Ａ…シールド端子
１０…内導体
１３…誘電体
１４…収容部材
２２…収容室
２３…多機能部
２６…第１カバー（カバー）
２９…第２カバー（カバー）
３３…規制突起（変位規制部）
３４…規制縁部（変位規制部）
３６…外導体
３７…第１分割シェル
４３…第１圧着部
４４…第２分割シェル
５０…第２圧着部
５２…開口部
６０…シールド電線
６１…芯線
６３…シールド部材
【図１】
2020053279.tif 000003
【図２】
2020053279.tif 000004
【図３】
2020053279.tif 000005
【図４】
2020053279.tif 000006
【図５】
2020053279.tif 000007
【図６】
2020053279.tif 000008
【図７】
2020053279.tif 000009
【図８】
2020053279.tif 000010
【図９】
2020053279.tif 000011
【図１０】
2020053279.tif 000012